【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
（ａ）心拍数が少なくとも１３０拍／分の所定のしきい値まで徐々に増加する段階の間に、前記被験者から第１のＲＲ間隔データセットを収集するステップと、
（ｂ）心拍数が徐々に減少する段階の間に、前記被験者から第２のＲＲ間隔データセットを収集するステップと、
（ｃ）前記第１のＲＲ間隔データーセットと前記第２のＲＲ間隔データセットとを比較して、前記データーセット間の相違を確定するステップと、
（ｄ）前記ステップ（ｃ）の比較から、前記第１および第２のデータセット間の相違が大きい場合は、前記被験者の心臓虚血が大きく、心臓または心臓血管の健康状態が低下していることを示す、前記被験者が刺激されている間の心臓虚血の尺度を生成するステップと
を含むことを特徴とする、被験者の心臓または心臓血管の健康状態の尺度を提供し、前記被験者の心臓虚血を評価する方法。
【請求項２】
前記所定の心拍数のしきい値が、
公式 ＰＴ＝（２２０±Ｖ ｂｐｍ）−ａｇｅ
によって定義され、ここで、ＰＴは所定の心拍数のしきい値、Ｖは２０、ｂｐｍは毎分の拍動、およびａｇｅは前記被験者の年令であることを特徴とする請求項１に記載の方法。
【請求項３】
（ｅ）前記ステップ（ａ）と（ｂ）とが同時に、第１および第２のＱＴ間隔データセットを前記被験者から収集するステップと、
（ｆ）前記第１のＱＴ間隔データーセットと前記第２のＱＴ間隔データセットとを比較して、前記第１および第２のＱＴ間隔のデーターセット間の相違を確定する、比較ステップと、
（ｇ）前記比較ステップ（ｆ）から、前記第１および第２のデータセット間の相違が大きいことが、前記被験者の心臓虚血が大きく、心臓または心臓血管の健康状態が低下していることを示す、前記被験者が刺激されている間の心臓虚血の尺度を生成するステップと
をさらに含むことを特徴とする請求項１に記載の方法。
【請求項４】
心拍数が徐々に減少する前記段階は、運動負荷を減少させるクールダウン段階の後において行われることを特徴とする請求項１に記載の方法。
【請求項５】
運動負荷を減少させる前記段階は、持続時間が約２分であることを特徴とする請求項４に記載の方法。
【請求項６】
前記被験者が冠動脈疾患を患っていないことを特徴とする請求項１に記載の方法。
【請求項７】
前記被験者が冠動脈疾患を患っていることを特徴とする請求項１に記載の方法。
【請求項８】
前記被験者が中程度の冠動脈疾患を患っていることを特徴とする請求項１に記載の方法。
【請求項９】
前記第１および第２のＲＲ間隔のデータセットが準定常状態のもとで収集されることを特徴とする請求項１に記載の方法。
【請求項１０】
前記第１および第２のＲＲ間隔のデータセットが準定常状態のもとで収集されることを特徴とする請求項２に記載の方法。
【請求項１１】
心拍数が徐々に増加する前記段階および心拍数が徐々に減少する前記段階はそれぞれ、持続時間が少なくとも３分であることを特徴とする請求項１に記載の方法。
【請求項１２】
心拍数が徐々に増加する前記段階と心拍数が徐々に減少する前記段階は、全体の時間を６分から４０分として一緒に実行されることを特徴とする請求項１に記載の方法。
【請求項１３】
心拍数が徐々に増加する前記段階と心拍数が徐々に減少する前記段階との両方がピーク心拍数と最低心拍数との間に実行され、心拍数が徐々に増加する前記段階と心拍数が徐々に減少する前記段階との両方の前記ピーク心拍数が同じであることを特徴とする請求項１に記載の方法。
【請求項１４】
心拍数が徐々に増加する前記段階と心拍数が徐々に減少する前記段階との両方の前記最低心拍数がほぼ同じであることを特徴とする請求項１３に記載の方法。
【請求項１５】
心拍数が徐々に減少する前記段階が少なくとも３つの異なる心拍数刺激レベルにおいて実行されることを特徴とする請求項１に記載の方法。
【請求項１６】
心拍数が徐々に増加する前記段階が少なくとも３つの異なる心拍数刺激レベルにおいて実行されることを特徴とする請求項１５に記載の方法。
【請求項１７】
心拍数が徐々に増加する前記段階と心拍数が徐々に減少する前記段階とが時間的に連続して実行されることを特徴とする請求項１に記載の方法。
【請求項１８】
心拍数が徐々に増加する前記段階と心拍数が徐々に減少する前記段階とが時間的に間をおいて実行されることを特徴とする請求項１に記載の方法。
【請求項１９】
前記生成するステップが前記それぞれのデーターセットから曲線を生成することによって実行されることを特徴とする請求項１に記載の方法。
【請求項２０】
前記生成するステップがデーターセットからの前記曲線の形状を比較することによって実行されることを特徴とする請求項１９に記載の方法。
【請求項２１】
前記生成するステップが前記曲線間の領域の大きさを決定することによって実行されることを特徴とする請求項１９に記載の方法。
【請求項２２】
前記生成するステップがデーターセットからの前記曲線の形状を比較することと前記曲線間の領域の大きさを決定することとの両方によって実行されることを特徴とする請求項１９に記載の方法。
【請求項２３】
前記曲線を表示するステップをさらに含むことを特徴とする請求項１９に記載の方法。
【請求項２４】
心拍数が徐々に増加する前記段階の間に、前記心拍数が１５０拍／分を超えることを特徴とする請求項１に記載の方法。
【請求項２５】
（ｅ）刺激を加える間の前記心臓虚血の尺度と少なくとも１つの基準値とを比較するステップと、
（ｆ）前記ステップ（ｅ）の比較から、前記被験者に対する心臓または心臓血管の健康状態の定量的な表示を生成するステップと
をさらに含むことを特徴とする請求項１に記載の方法。
【請求項２６】
前記定量的な表示から、前記被験者が将来の虚血に関連した心臓の事故に直面する危険の可能性を評価するステップをさらに含むことを特徴とする請求項２５に記載の方法。
【請求項２７】
前記コンピューターが読取り可能なプログラムコードが、
（ａ）心拍数が少なくとも１３０拍／分の所定のしきい値まで徐々に増加する段階の間に、前記被験者から第１のＲＲ間隔データセットを収集するコンピューターが読取り可能なプログラムコードと、
（ｂ）心拍数が徐々に減少する段階の間に、前記被験者から第２のＲＲ間隔データセットを収集するコンピューターが読取り可能なプログラムコードと、
（ｃ）前記第１のＲＲ間隔データセットと前記第２のＲＲ間隔データセットとを比較して、前記データーセットの間に相違を確定するコンピューターが読取り可能なプログラムコードと、
（ｄ）前記コンピューターが読取り可能なプログラムコード（ｃ）において前記比較から、前記第１および第２のデータセット間の相違が大きい場合は、前記被験者の心臓虚血が大きく、心臓または心臓血管の健康状態が低いことを示す、前記被験者が刺激されている間の心臓虚血の尺度を生成するコンピューターが読取り可能なプログラムコードと
を含むことを特徴とする、被験者の心臓または心臓血管の健康状態の尺度を提供し、前記被験者の心臓虚血を評価する、媒体の中に組み込まれたコンピューターが読取り可能なプログラムコードを有するコンピューターが使用可能な記録媒体を備えるコンピュータープログラム製品。
【請求項２８】
（ｅ）ステップ（ａ）とステップ（ｂ）とを同時に、前記被験者から第１および第２のＲＲ間隔のデータセットを収集するコンピューターが読取り可能なプログラムコードと、
（ｆ）前記第１のＱＴ間隔データセットと前記第２のＱＴ間隔データセットとを比較して、前記データーセット間の相違を確定するコンピューターが読取り可能なプログラムコードと、
（ｇ）前記コンピューターが読取り可能なプログラムコード（ｆ）において前記比較から、前記第１および第２のデータセット間の相違が大きい場合は、前記被験者の心臓虚血が大きく、心臓または心臓血管の健康状態が低いことを示す、前記被験者が刺激されている間の心臓虚血の尺度を生成するコンピューターが読取り可能なプログラムコードと
をさらに含むことを特徴とする請求項２７に記載のコンピュータープログラム製品。
【請求項２９】
前記コンピューターが読取り可能な前記生成のプログラムコード（ｇ）が前記データーセットの各々から曲線を生成するコンピューターが読取り可能なプログラムコードを含むことを特徴とする請求項２７に記載のコンピュータープログラム製品。
【請求項３０】
前記コンピューターが読取り可能な前記生成のプログラムコード（ｇ）がデーターセットから前記曲線の形状を比較するコンピューターが読取り可能なプログラムコードを含むことを特徴とする請求項２９に記載のコンピュータープログラム製品。
【請求項３１】
前記コンピューターが読取り可能な前記生成のプログラムコード（ｇ）が前記曲線間の領域の大きさを確定するためのコンピューターが読取り可能なプログラムコードを含むことを特徴とする請求項２９に記載のコンピュータープログラム製品。
【請求項３２】
前記コンピューターが読取り可能な前記生成のプログラムコード（ｇ）がデーターセットから前記曲線の形状を比較して、前記曲線間の領域の大きさを確定するコンピューターが読取り可能なプログラムコードを含むことを特徴とする請求項２９に記載のコンピュータープログラム製品。
【請求項３３】
前記曲線を表示するためのコンピューターが読取り可能なプログラムコードをさらに含むことを特徴とする請求項２９に記載のコンピュータープログラム製品。
【請求項３４】
（ｅ）刺激を加える間の前記心臓虚血の尺度と少なくとも１つの基準値とを比較するためのコンピューターが読取り可能なプログラムコードと、
（ｆ）前記（ｅ）の比較から、前記被験者に対する心臓または心臓血管の健康状態の定量的な表示を生成するためのコンピューターが読取り可能なプログラムコードと
をさらに含むことを特徴とする請求項２７に記載のコンピュータープログラム製品。
【請求項３５】
前記定量的な表示から、前記被験者が将来の虚血に関連した心臓の事変に直面する危険の可能性を評価するためのコンピューターが読取り可能なプログラムコードをさらに含むことを特徴とする請求項３４に記載のコンピュータープログラム製品。
【請求項３６】
（ａ）心拍数が少なくとも１３０拍／分の所定のしきい値まで徐々に増加する段階の間に、前記被験者から第１のＲＲ間隔データセットを収集する手段と、
（ｂ）心拍数が徐々に減少する段階の間に、前記被験者から第２のＲＲ間隔データーセットを収集する手段と、
（ｃ）前記第１のＲＲ間隔データセットと前記第２のＲＲ間隔データセットとを比較して、前記データーセット間の相違を確定する手段と、
（ｄ）前記コンピューターが読取り可能なプログラムコード（ｃ）の前記比較から、前記第１および第２のデータセット間の相違が大きい場合は、前記被験者の心臓虚血が大きく、心臓または心臓血管の健康状態が低下していることを示す、前記被験者が刺激されている間の心臓虚血の尺度を生成する手段と
を備えることを特徴とする、被験者の心臓虚血を比較して、前記被験者の心臓または心臓血管の健康状態の尺度を提供し、前記被験者の心臓虚血を評価するシステム。
【請求項３７】
（ｅ）前記ステップ（ａ）と（ｂ）とを同時に、第１および第２のＱＴ間隔のデーターセットを前記被験者から収集する手段と、
（ｆ）前記第１のＱＴ間隔データセットと前記第２のＱＴ間隔データセットとを比較して、前記第１および第２のＱＴ間隔のデーターセット間の相違を確定する手段と、
（ｇ）前記比較（ｆ）から、前記第１および第２のデータセット間の相違が大きい場合は、前記被験者の心臓虚血が大きく、心臓または心臓血管の健康状態が低下していることを示す、前記被験者が刺激されている間の心臓虚血の尺度を生成する手段と
をさらに備えることを特徴とする請求項３６に記載のシステム。
【請求項３８】
前記生成する手段（ｇ）が前記データーセットの各々から曲線を生成する手段を含むことを特徴とする請求項３６に記載のシステム。
【請求項３９】
前記生成する手段（ｇ）がデーターセットから前記曲線の形状を比較する手段を含むことを特徴とする請求項３８に記載のシステム。
【請求項４０】
前記生成する手段（ｇ）が前記曲線間の領域の大きさを確定する手段を含むことを特徴とする請求項３８に記載のシステム。
【請求項４１】
前記生成する手段（ｇ）がデーターセットから前記曲線の形状を比較して、前記曲線間の領域の大きさを確定する手段を含むことを特徴とする請求項３８に記載のシステム。
【請求項４２】
前記曲線を表示する手段をさらに含むことを特徴とする請求項３８に記載のシステム。
【請求項４３】
（ｅ）刺激を加える間の前記心臓虚血の尺度と少なくとも１つの基準値とを比較する手段と、
（ｆ）前記（ｅ）の比較から、前記被験者に対する心臓または心臓血管の健康状態の定量的な表示を生成する手段と
をさらに含むことを特徴とするシステム。
【請求項４４】
前記定量的な表示から、前記被験者が将来の虚血に関連した心臓の事故に直面する危険の可能性を評価する手段をさらに含むことを特徴とする請求項４３に記載のシステム。